(57)【要約】【課題】上下方向の備え付け位置に制約のある屋外構造物に、郵便物等を都合よく取り出し得るように設置できる郵便受け箱の提供。【解決手段】横向きの筒状投入口部２０と、この筒状投入口部２０から投入される郵便物等を受け入れる受入ボックス部１０とを備えており、屋外構造物Ｂに、筒状投入口部２０を組み入れて、該屋外構造物Ｂの一方の側に備えられる受入ボックス部１０に、他方の側に開口されている前記筒状投入口部２０から郵便物等を投入し得るようにしてある郵便受け箱Ａであって、前記受入ボックス部１０の上部に、投入郵便物等の取り出し口１１と、この取り出し口１１を閉じる開閉蓋１２を設けて構成してある。【選択図】図１
2008073454.tif 000002
【特許請求の範囲】
【請求項１】
横向きの筒状投入口部と、この筒状投入口部から投入される郵便物等を受け入れる受入ボックス部とを備えており、
屋外構造物に前記筒状投入口部を組み入れて、該屋外構造物の一方の側に備えられる受入ボックス部に、他方の側に開口されている前記筒状投入口部から郵便物等を投入し得るようにしてある郵便受け箱であって、
前記受入ボックス部の上部に、投入郵便物等の取り出し口と、この取り出し口を閉じる開閉蓋を設けてあることを特徴とする郵便受け箱。
【請求項２】
前記開閉蓋を備える取り出し口が、前記筒状投入口部の側から、受入ボックス部の後部側に向けて下降する傾斜状に設けてあり、取り出し口における該筒状投入口部側の縁部に沿って備えられている凹溝部上に延設されている開閉蓋の上端側を該凹溝部内に入れ込み得るように、該開閉蓋を受入ボックス部に回動可能に枢支してあることを特徴とする請求項１に記載の郵便受け箱。
【請求項３】
前記受入ボックス部における後側面の幅側にわたって、開閉蓋の下端縁から垂れ落ちる雨水を受けうる受け樋を傾斜状に備えていることを特徴とする請求項１又は請求項２に記載の郵便受け箱。
【請求項４】
前記開閉蓋が透明部を備えていることを特徴とする請求項１、請求項２又は請求項３に記載の郵便受け箱。
【発明の詳細な説明】
【技術分野】
【０００１】
この発明は、筒状投入口部を屋外構造物に組み入れて備え付け用いられる郵便受け箱の改良に関し、特に、受入ボックス部を歩行地面等に近接した状態で郵便受け箱を設置する際に効果的に用い得る郵便受け箱の提案に関する。
【背景技術】
【０００２】
一般的に、門に連続されている塀を用いて郵便受け箱を設けることが多く、門に入ることなく郵便物を塀の外側から郵便物受け箱に投入、配達することができ、また、塀の内側において郵便物を郵便受け箱から容易に取り出し、受け取ることができる。
【０００３】
また、かかる郵便受け箱の設置手法にあっては、塀から郵便受け箱等が突き出す等の不具合がなく、塀における外側面をすっきりとした形態に整えることができると共に、郵便物を塀の内側にある受入ボックスに受け入れ管理することから、配達された郵便物を安全かつ確実に管理することができる。
【０００４】
かかる郵便物受け箱において、郵便物の取り出しを容易かつ確実にするために、
郵便受け箱における取出し口に、互いに向き合って備えられる縦方向を向いた一対のガイド溝に両側端部を案内されて上下動可能に備えられる蓋体によって開閉可能としてあると共に、前記ガイド溝に、該ガイド溝の長手方向に沿って、該ガ
イド溝内にある前記蓋体の側端部に接触可能な多毛状接触部を備えた案内手段を備えており、この案内手段の多毛状接触部と前記蓋体とが、該蓋体を前記ガイド溝内で、該蓋体の移動停止位置に保持し得る接触圧で接触される構成とした郵便受け箱がある（例えば、特許文献１）。
【０００５】
【特許文献１】特開２００１−２９９５６１公開特許公報
【発明の開示】
【発明が解決しようとする課題】
【０００６】
かかる郵便受け箱にあっては、郵便物の取出し口が上下方向に移動される蓋体によって開閉されることから該蓋体の開閉部分の周辺部に当該蓋体の開閉操作のための空間が必要でなく、比較的狭い空間内に当該郵便受け箱を設置できる利点を有しており、また、かかる郵便受け箱では、開閉される蓋体が当該開閉位置において停止状態に保持することができ、また、開閉される蓋体が前記案内手段の多毛状接触部によって緩衝的に保持されていることから、蓋体が取出し口下端縁に落下衝突される不具合がない等の利点を有している。
【０００７】
しかしながら、郵便受け箱の設置される位置が歩行地面等に近接している場合、この郵便受け箱から郵便物を取り出すためには、かがみ込んだ極めて窮屈な態勢で蓋体の開閉操作をする必要があり、しかも、かがみ込んだ窮屈な姿勢で郵便物を郵便受入室から取り出す必要があった。
【０００８】
この発明は、郵便受け箱が、郵便物を郵便受け箱から取り出す位置における歩行面と近接して備えられている際にあっても、当該郵便受け箱から容易に、かつ、確実に、郵便物の取り出しや、郵便受け箱内の清掃、保守等をなし得るようにした郵便受け箱の提供を目的にしている。
【課題を解決するための手段】
【０００９】
この発明は、前記課題を解決するために、横向きの筒状投入口部と、この筒状投入口部から投入される郵便物等を受け入れる受入ボックス部とを備えており、
屋外構造物に該筒状投入口部を組み入れて、該屋外構造物の一方の側に備えられる受入ボックス部に、他方の側に開口されている前記筒状投入口部から郵便物等を投入し得るようにしてある郵便受け箱であって、
前記受入ボックス部の上部に、投入郵便物等の取り出し口と、この取り出し口を閉じる開閉蓋を設けてあることを特徴とする郵便受け箱としてある。
【００１０】
このように構成される郵便受け箱にあっては、無理にかがみ込んだ姿勢をとることなく、当該郵便受け箱の上部に備えられている開閉蓋を開いて、受入ボックス部の郵便物等を取り出すことができ、また、必要に応じて、この受入ボックス部の清掃・保守等をなすことができる。
【００１１】
また、かかる構成からなる郵便受け箱は、屋外構造物における設置対象位置が低い場合にあっても、郵便受け箱の設置が可能であり、例えば、敷地が道路より高く、門に続く擁壁を兼ねた境界用の立上り壁を備える場合や、同様に腰の低い塀を備える場合や、玄関ポーチが道路より高く、門から玄関ポーチに到る階段に階段手すりを備える場合や、玄関ポーチを巡るように腰の低い立上り壁を備える場合等、各種の屋外構造物に対して郵便受け箱を都合よく備え付けることができる。
【００１２】
また、前記構成に係る郵便受け箱において、前記開閉蓋を備える取り出し口が、前記筒状投入口部の側から、受入ボックス部の後部側に向けて下降する傾斜状に設けてあり、取り出し口における該筒状投入口部側の縁部に沿って備えられている凹溝部上に延設されている開閉蓋の上端側を該凹溝部内に入れ込み得るように、該開閉蓋を受入ボックス部に回動可能に枢支した郵便受け箱にあっては、前記特長に併せて、開閉蓋面に受けられた雨水が都合よく流下され、また開き出される開閉蓋の雨水を凹溝部に都合よく流下することができる。
【００１３】
また、前記構成に係る郵便受け箱において、前記受入ボックス部における後側面の幅側にわたって、開閉蓋の下端縁から垂れ落ちる雨水を受けうる受け樋を傾斜状に備えている郵便受け箱にあっては、前記特長に併せて、郵便受け箱を流下する雨水を当該受け樋で受けて郵便受け箱の側方に流し出し、郵便受け箱の外周面の汚損を極力防ぐようにすることができる。
【００１４】
また前記構成に係る郵便受け箱において、前記開閉蓋が透明部を備えている郵便受け箱にあっては、前記特長に併せて、逐一、郵便受け箱を開閉すること無く、投入郵便物の有無を確認することができ、無駄な動作をする煩雑さを避けることができる。
【発明の効果】
【００１５】
上下方向における備え付け位置に制約のある備え付け対象の屋外構造物に対して、投入された郵便物等を都合よく取り出し得るように設置できる郵便受け箱を提供し、郵便受け箱の設置性を著しく高めるようにした。
【発明を実施するための最良の形態】
【００１６】
以下、図１〜図６にもとづいて、この発明を実施するための最良の形態に係る郵便受け箱Ａについて説明する。
【００１７】
なお、ここで図１は、当該発明を実施するための最良の形態に係る典型的な郵便受け箱Ａを典型的な取り付け対象物である屋外構造物Ｂに組み付けた状態を断面して、側方から見て示している。図２は、かかる郵便受け箱Ａを屋外構造物Ｂに組み付ける前の状態で斜め上方から見て、また、図３では、この郵便受け箱Ａを開閉蓋１２を外した状態で斜め上方から見て示している。
【００１８】
図４〜図６は、前記郵便受け箱Ａの各要部を示すものであって、図４では、当該郵便受け箱Ａにおける筒状投入口部２０と受入ボックス部１０の要部を上方から見て、図５では、これを断面して側方から見て、図６では、受入ボックス部１０の後部側を断面して側方から見て示している。
【００１９】
この発明を実施するための最良の形態に係る典型的な郵便受け箱Ａは、横向きの筒状投入口部２０と、この筒状投入口部２０から投入される郵便物等を受け入れる受入ボックス部１０とを備えており、
塀、境界構造物、階段脇腰壁、玄関ポーチまわりの腰壁等の屋外構造物Ｂに、筒状投入口部２０を組み入れて、該屋外構造物Ｂの一方の側に備えられる受入ボックス部１０に、他方の側に開口されている前記筒状投入口部２０から郵便物等を投入し得るようにしてある郵便受け箱Ａであって、
前記受入ボックス部１０の上部に、投入郵便物等の取り出し口１１と、この取り出し口１１を閉じる開閉蓋１２を設けて構成してある。
【００２０】
かかる郵便受け箱Ａは、受入ボックス部１０と、この受入ボックス部１０に連通する投入路２０’を備える筒状投入口部２０を備え、この受入ボックス部１０の上部に、投入郵便物の取り出し口１１と、この取り出し口１１を閉じる開閉蓋１２を備えて構成してあれば、いかなる形態に構成してあっても、また、いかなる素材によって構成してあってもよい。
【００２１】
この郵便受け箱Ａを構成する受入ボックス部１０は、筒状投入口部２０から投入される郵便物等を効果的に受入、雨水等に汚損されないように収納し得る形状と収納空間とを備えておれば、いかなる形状に構成してあってもよい。
【００２２】
また、この郵便受け箱Ａを構成する筒状投入口部２０は、この筒状投入口部２０における投入路２０’を介して郵便物等を受入ボックス部１０に送り込み得ると共に、ブロック塀等の屋外構造物Ｂに組み付け得る形態を備えておれば、いかなる形態に構成してあってもよい。
【００２３】
また、受入ボックス部１０の上部に開閉蓋１２を備えて構成される取り出し口１１は、この受入ボックス部１０に受け入れられた郵便物等を都合よく取り出し、かつ、必要に応じて当該受入ボックス部１０内を清掃、修理し得る構成としてあれば、いかなる形状に構成してあってもよい。
【００２４】
また、かかる取り出し口１１を開閉可能に閉じる開閉蓋１２は、当該取り出し口１１を都合よく覆って、受入ボックス部１０内に雨水等が侵入するのを効果的に防ぎ、かつ、必要に応じて、これを開き出して、受入ボックス部１０内にある郵便物等の取り出しや、受入ボックス部１０内の清掃等をなし得る構成としてあれば、いかなる形状に構成してあってもよい。
【００２５】
また、かかる郵便受け箱Ａの設置対象とされる屋外構造物Ｂは、玄関部に付帯し、あるいは、出入り口用の門ないしは当該門に付帯し、あるいは、道路に面している敷地の擁壁に付帯して備えられる各種の構造物、あるいは、独立に備えられる塀、境界壁、擁壁、手すり、腰壁、立上り壁等、郵便物等を投函し、かつ、取り出し得る位置に備えられている屋外構造物Ｂであれば、いかなる構造物であってもよい。
【００２６】
このように構成される郵便受け箱Ａにあっては、無理にかがみ込んだ姿勢をとることなく、当該郵便受け箱Ａの上部に備えられている開閉蓋１２を開いて、受入ボックス部１０の郵便物等を取り出すことができ、また、必要に応じて、この受入ボックス部１０の清掃・保守等をなすことができる。
【００２７】
また、かかる構成からなる郵便受け箱Ａは、屋外構造物Ｂにおける設置対象位置が低い場合にあっても、郵便受け箱Ａの設置が可能であり、例えば、敷地が道路より高く、門に続く擁壁を兼ねた境界用の立上り壁を備える場合や、同様に腰の低い塀を備える場合や、玄関ポーチが道路より高く、門から玄関ポーチに到る階段に階段手すりを備える場合や、玄関ポーチを巡るように腰の低い立上り壁を備える場合等、各種の屋外構造物Ｂに対して郵便受け箱Ａを都合よく備え付けることができる。
【００２８】
また、前記構成に係る郵便受け箱Ａにおいて、前記開閉蓋１２を備える取り出し口１１が、前記筒状投入口部２０の側から、受入ボックス部１０の後部側１０”に向けて下降する傾斜状に設けてあり、取り出し口１１における該筒状投入口部２０側の縁部に沿って備えられている凹溝部３０上に延設されている開閉蓋１２の上端側１２’を該凹溝部３０内に入れ込み得るように、該開閉蓋１２を受入ボックス部１０に回動可能に枢支した郵便受け箱Ａにあっては、前記特長に併せて、開閉蓋１２面に受けられた雨水が都合よく流下され、また開き出される開閉蓋１２の雨水を凹溝部３０に都合よく流下することができる。
【００２９】
また、前記構成に係る郵便受け箱Ａにおいて、前記受入ボックス部１０における後側面１０ｃ’の幅側にわたって、開閉蓋１２の下端縁１２”から垂れ落ちる雨水を受けうる受け樋１０ｉを傾斜状に備えている郵便受け箱Ａにあっては、前記特長に併せて、郵便受け箱Ａを流下する雨水を当該受け樋１０ｉで受けて郵便受け箱Ａの側方に流し出し、郵便受け箱Ａの外周面の汚損を極力防ぐようにすることができる。
【００３０】
また前記構成に係る郵便受け箱Ａにおいて、前記開閉蓋１２が透明部１２ｉを備えている郵便受け箱Ａにあっては、前記特長に併せて、逐一、郵便受け箱Ａを開閉すること無く、投入郵便物の有無を確認することができ、無駄な動作をする煩雑さを避けることができる。
【００３１】
図１〜図６に示される典型的な郵便受け箱Ａについて具体的に説明する。
この図１〜図６に示される郵便受け箱Ａは、横向きの筒状投入口部２０と、この筒状投入口部２０から投入される郵便物等を受け入れる受入ボックス部１０とを備えており、
塀、境界構造物、階段脇腰壁、玄関ポーチまわりの腰壁等の屋外構造物Ｂに、筒状投入口部２０を組み入れて、該屋外構造物Ｂの一方の側に備えられる受入ボックス部１０に、他方の側に開口されている前記筒状投入口部２０から郵便物等を投入し得るようにしてある郵便受け箱Ａであって、前記受入ボックス部１０の上部に、投入郵便物等の取り出し口１１と、この取り出し口１１を閉じる開閉蓋１２を設けて構成してある。
【００３２】
かかる郵便受け箱Ａを構成する受入ボックス部１０は、前部側１０’、すなわち、屋外構造物Ｂに対する取り付け側に筒状投入口部２０を備え、かつ、この筒状投入口部２０の備え付け側と反対の側である後部側１０”から、取り出し口１１を開閉する開閉蓋１２の開閉をなし得るようにした、概ね直方体形状をなす所謂箱形状に構成してあり、矩形をなす底部板１０ｅと、この底部板１０ｅの各辺から起立されている各板部、すなわち、取り付け対象物である屋外構造物Ｂに面している前板１０ａ、この前板１０ａに向き合っている後部板１０ｃ、この前板１０ａと後部板１０ｃを連続する各側板１０ｂ、１０ｂと、この前板１０ａ及び側板１０ｂ並びに後部板１０ｃで囲まれる上部を、取り出し口１１と共に構成する上板１０ｄとを備える構成としてあり、この取り出し口１１を開閉蓋１２で開閉可能に閉じ込み得る構成としてある。
【００３３】
かかる受入ボックス部１０の前側の上部に筒状投入口部２０が、この受入ボックス部１０に一連に連続するように設けてあり、この受入ボックス部１０における内部収納空間に連通する投入路２０’を備え、この投入路２０’が当該筒状投入口部２０における前端部で開口２０”するようにしてある。
【００３４】
かかる筒状投入口部２０は、横向きの角筒、より具体的には、断面形状が四角形状の扁平な角筒体としてあり、前記上板１０ｄに連続される上板２０ａと、この上板２０ａの長手縁から直角に延設されて前記側板１０ｂに連続される側板２０ｂと、この各側板２０ｂ間を塞ぐように開口２０”縁から前記前板１０ａに連続される底板部２０ｃとを備えて構成してある。
【００３５】
かかる筒状投入口部２０は、郵便受け箱Ａを屋外構造物Ｂに組み付ける際に、当該筒状投入口部２０を該屋外構造物Ｂに埋め込み状態にして、この郵便受け箱Ａを設置し得る形態を備えた構成としてあり、この筒状投入口部２０の開口２０”から、受入ボックス部１０に対して、確実、かつ、円滑に投入郵便物等が投入し得ると共に、この筒状投入口部２０から雨水等が受入ボックス部１０に侵入することのないように、底板部２０ｃ上に、その開口２０”側から受入ボックス部１０に向けて漸次斜上する傾斜面及び傾斜上端から受入ボックス部１０に向けて降下する傾斜面を備える内底板部２０ｃ’を重ね合わせ状態に設けてある。
【００３６】
また、この筒状投入口部２０の開口２０”には、開口枠部２０ｄが、この開口２０”を内周を巡るように設けてあり、当該開口２０”から雨水等が該筒状投入口部２０内に侵入するのを防止し、かつ、開閉蓋２０ｅの備え付け部を構成している。
【００３７】
この図示例に係る筒状投入口部２０に備えられる開閉蓋２０ｅは、矩形の開口枠部２０ｄの上枠部に板状開閉蓋２０ｅの上側をなす一辺縁部を添わせて回動可能に枢支してあり、その下端側をなす一辺縁部を開口枠部２０ｄの内側面に常時当接するようにねじりコイルバネ等の付勢手段によって付勢した状態に設けてある。
【００３８】
また、前記受入ボックス部１０は、この受入ボックス部１０内に投入された郵便物等が雨水等で濡れないように、底板部１０ｅに排水用の孔１０ｈが設けてあり、また、投入郵便物等が直接底板部１０ｅに接触するのを避け、かつ、孔１０ｈからの雨水の吹き込みを防止するように、この底板部１０ｅの下面側から上方に向けて孔１０ｈを構成するために起立されたプレス片の上に内底板１０ｆを乗せかけて、底板部１０ｅ上に内底板１０ｆを重ね合わせ状態に設けてある。
【００３９】
また、この受入ボックス部１０における前部側１０’が、直接屋外構造物Ｂに接触しないように当該屋外構造物Ｂに郵便受け箱Ａを組み付け得るように、前板１０ａから一対の当て板１０ｇを前方に向けて突設してある。
【００４０】
かかる郵便受け箱Ａに備えられる取り出し口１１は、受入ボックス部１０の上部に開閉蓋１２を備えた状態で設けてある。この図示例にあっては、前記受入ボックス部１０を構成する側板１０ｂと後部板１０ｃの各上端と上板１０ｄの端縁とで取り出し口１１が構成してあり、この取り出し口１１における上板の端縁部側に矩形をなす開閉蓋１２における一辺に沿った縁部を回動可能に枢支して、この取り出し口１１を開閉可能に閉じ得るように構成してある。
【００４１】
この図示例に係る取り出し口１１は、この取り出し口１１を構成する上板１０ｄの端縁部を凹溝部３０としてあり、この凹溝部３０と、前記側板１０ｂの上端及び後部板１０ｃの上端で囲まれる開放空間として構成してある。
【００４２】
かかる取り出し口１１を構成する凹溝部３０は、受入ボックス部１０における幅側、すなわち、各側板１０ｂ，１０ｂをわたるように上板１０ｄの屈曲部として構成してある。より具体的には、筒状投入口部２０の上板２０ａの側から該取り出し口１１の側に延びる上板１０ｄを下方に向けてほぼ直角に屈曲して一方の溝側板部３０ａを構成し、この下方に垂設される溝側板部３０ａの下端から直角に取り出し口１１側に屈曲するように上板１０ｄを延設して溝底板部３０ｂとし、更に、この溝底板部３０ｂ端から上板１０ｄを起立させて他方の溝側板部３０ｃを構成して、凹溝部３０としてあり、この凹溝部３０の各溝端は開放してある。
【００４３】
かかる凹溝部３０における溝側板部３０ｃに一対の軸受けボス部１１ａ、１１ａを、追って説明する開閉蓋１２に備えられる軸受けボス部１２ｇに都合よく連続して組み付け得る位置に設けてあり、この軸受けボス部１１ａに開閉蓋１２の軸受けボス部１２ｇを連続するように組み付け、これに軸１３を挿通して開閉蓋１２を開閉可能に受け入れボックス部に組み付けるようにしてある。
【００４４】
かかる受入ボックス部１０に備えられる取り出し口１１は、平面視で矩形をなし、この矩形の開口面を、凹溝部３０の側から後部板１０ｃの側に向けて漸次下降する傾斜面としてある。
【００４５】
かかる受入ボックス部１０に備えられて傾斜状の取り出し口１１を開閉する開閉蓋１２は、前記凹溝部３０の一部と取り出し口１１の上を覆う矩形の蓋板部１２ａと、この蓋板部１２ａの両側から下方に向けてほぼ直角に屈曲されて受入ボックス部１０の側板１０ｂの外側を覆う側板部１２ｂと、蓋板部１２ａの下端側、すなわち、該開閉蓋１２の枢支側と反対の側にある縁から下方に屈曲されて受入ボックス部１０の後部板１０ｃの外側を覆う後側板部１２ｃとを備えており、この矩形をなす蓋板部１２ａの上端側１２’が、各側板部１２ｂより更に突き出すように設けてあり、この矩形をなす蓋板部１２ａにおける各側板部１２ｂから延設されてい上端部１２’が、凹溝部３０上の一部を覆うようにしてある。なお、この蓋板部１２ａは、当該上端部１２’を含めて等幅をなす矩形に構成してあり、また、前記側板部１２ｂと後側板部１２ｃとは一連に連続するように構成してある。
【００４６】
また、この開閉蓋１２における各側板部１２ｂの上端側、すなわち、前記後側板部１２ｃと反対の側の内側に、互いに向き合うように軸受けボス部１２ｇ、１２ｇを、この各軸受けボス部１２ｇの内側に前記溝側板部３０ｃの軸受けボス部１１ａが位置づけられるように設けてあり、これと反対の側、すなわち、当該開閉蓋１２の下端側にある後側板部１２ｃに取っ手１２ｈが設けてある。
【００４７】
かかる構成からなる開閉蓋１２を、傾斜面をなす取り出し口１１に添うように傾斜状に受入ボックス部１０に乗せかけ、各軸受けボス部１１ａ、１２ｇに設けてある軸孔に軸１３を挿通して、この開閉蓋１２を受入ボックス部１０に対して当該取り出し口１１の閉じ込みと、開き出しをなし得るように組み付ける。
【００４８】
このように受入ボックス部１０に組み付けられる開閉蓋１２は、その蓋板部１２ａの上端側１２’を凹溝部３０上に延ばした状態で、各側板部１２ｂ、後側板部１２ｃが取り出し口１１を構成する側板１０ｂ、１０ｂ及び後部板ｃの各上部側方に位置付けられ、取り出し口１１からの雨水の侵入を防ぐようにしてある。また、蓋板部１２ａの上端部１２’が、前記凹溝部３０の溝側板部３０ｃを、その長手側の全幅で覆って凹溝部３０上に延びていることから、この開閉蓋１２の上端側１２’から雨水等が取り出し口１１に侵入することがない。
【００４９】
なお、この凹溝部３０は、好ましくは、図示例のように、凹溝部３０を構成する溝側板部３０ａの上端部分をやや凹溝側に屈曲して、上板１０ｄと溝側板部３０ａの上端部分とを、やや溝側に突き出すように構成し、この突き出し縁部の下方に開閉蓋１２における蓋板部１２ａの上端を位置づけるように構成することで、取り出し口１１を開閉蓋１２で閉じた際に、この開閉蓋１２で凹溝部３０を都合よく覆いつくし、郵便受け箱Ａの外観をシンプルな構成とすることができる。また、受入ボックス部１０の上板１０ｄと開閉蓋１２の蓋板部１２ａとを、ほぼ面一の状態にして取り出し口１１を開閉蓋１２で閉じ込むことができる。また、この凹溝部３０に突き出している上端側１２’を当該凹溝部３０内で回動させるようにして開閉蓋１２を開きださせる際に、当該開閉蓋１２を所定の開き出し角度に開きだし停止させるように、蓋板部１２ａの先端を該凹溝部３０における溝側板部３０ｃに突き当てるように構成することができる。
【００５０】
かかる開閉蓋１２には、この開閉蓋１２を閉じた状態で受入ボックス部１０内を覗き見し得るように透明部１２ｉを設けてある。この開閉蓋１２に備えられる透明部１２ｉは、受入ボックス部１０を外部から遮断し、かつ、内部を透し見ることのできる素材で構成されておれば、いかなる素材によって構成してあっても、また、いかなる形状に構成してあってもよい。この図示例にあっては、矩形板状の透明板１２ｉ’、例えば、耐衝撃性の良好な透明なポリカーボネートプレート等で構成することができる。
【００５１】
この図示例にあっては、開閉蓋１２における蓋板部１２ａに矩形の開口部１２ｄを設け、この開口部１２ｄの前後方向の向きにある両側縁部に沿って、この縁部の内側に該縁部との間に透明板１２ｉ’を受け入れる受け溝を構成する受け鍔１２ｅを設け、更に、この開口部１２ｄにおける傾斜下側、すなわち、開閉蓋１２の枢支側と反対の側にある縁部に沿って、当該縁部の内側に、該縁部との間で前記透明板１２ｉ’を受け入れる受け溝を構成する受け鍔１２ｆを前記受け鍔１２ｅに連続するように設け、この受け鍔１２ｅ、１２ｅ及び受け鍔１２ｆと蓋板部１２ａとの間に、開閉蓋１２の枢支側から透明板１２ｉ’を密に嵌め入れて当該開口部１２ｄを塞ぐようにしてある。
【００５２】
かかる透明板１２ｉ’の嵌め入れは、必要に応じて、前記受け鍔１２ｅ、１２ｆと透明板１２ｉ’及び透明板１２ｉ’と蓋板部１２ａ間にシーリング材の充填や、コーキング材の介装等により、前記開口部１２ｄが当該透明板１２ｉ’で水密的に塞がれるようにしてある。
【００５３】
また、この開閉蓋１２は、その下端側にある後側板部１２ｃに取っ手１２ｈを突き出し状態に設けてあり、この取っ手１２ｈに指先を引っかけて開閉蓋１２の引き上げ、開き出しをなし得るようにしてある。
【００５４】
また、この開閉蓋１２は、突風等に煽られた際にも安定に取り出し口１１を閉じ込み状態に維持し得るように相互に留めつけあう留めつけ手段１０ｊ、１２ｊを開閉蓋１２と受入ボックス部１０に設けてあり、この図示例では、受入ボックス部１０に永久磁石を備える吸着具１０ｊ’を、開閉蓋１２に該吸着具１０ｊ’に吸着される鉄板等の被吸着板１２ｊ’を備え付けて、開閉蓋１２で取り出し口１１を閉じた際に、吸着具１０ｊ’が被吸着板１２ｊ’を吸着して、当該開閉蓋１２が突風等で開きだすのを防止するようにしてある。
【００５５】
また、この開閉蓋１２の下端縁１２”から流れ落ちる雨水を受ける位置に受け樋１０ｉを設け、この郵便受け箱Ａの上面に受けられた雨水を当該受け樋１０ｉで受けて郵便受け箱Ａの側方に案内するようにしてある。この図示例にあっては、受入ボックス部１０の後部板１０ｃの面である当該受入ボックス部１０の後側面１０ｃ’の幅側にわたるように受け樋１０ｉを当該後部板１０ｃに設けてあり、この受け樋１０ｉを後側面１０ｃ’の幅方向で傾斜するようにして、この受け樋１０ｉで受けられた雨水を郵便受け箱Ａの一方側に案内するようにしてある。  
【００５６】
このように開閉蓋１２を備えられた郵便受け箱Ａでは、郵便受け箱Ａの屋外構造物Ｂ側にある上面に受けられた雨水は前記凹溝部３０で補足されて郵便受け箱Ａの側方に案内され、受入ボックス内に漏れ落ちることがない。また、前記開閉蓋１２上に受けられた雨水は当該開閉蓋１２面を流れ落ちて前記受け樋１０ｉで受けられて側方に案内され、郵便受け箱Ａを汚損することがない。
【００５７】
このように構成される郵便受け箱Ａは、この郵便受け箱Ａにおける筒状投入口部２０を屋外構造物Ｂ、例えば、擁壁に連続する立上り壁Ｂ”などの境界構造物Ｂ’に組み入れた状態で、この屋外構造物Ｂの一方の側に当該筒状投入口部２０を開口し、かつ、他方の側に開閉蓋１２を開閉し得るように受入ボックス部１０を位置づけて固定設置することができる。
【００５８】
このように屋外構造物Ｂに組み付け設置された郵便受け箱Ａは、この郵便受け箱Ａが地面Ｃに近い位置にあっても、郵便物等を、当該郵便受け箱Ａの上方から開閉蓋１２を開きだして取り出すことができる。また、この郵便受け箱Ａにおける受入ボックス部１０に清掃等保守作業を施す際にあっても、同様に、上方から当該開閉蓋１２を開きだして、保守点検をなすことができる。
【図面の簡単な説明】
【００５９】
【図１】典型的な郵便受け箱を屋外構造物に組み付けた状態の断面図
【図２】同郵便受け箱の斜視図
【図３】同開閉蓋を分離した状態の郵便受け箱の斜視図
【図４】同要部平面図
【図５】同要部断面図
【図６】同他の位置における要部断面図
【符号の説明】
【００６０】
Ａ  郵便受け箱
Ｂ  屋外構造物
１０  受入ボックス部
１１  取り出し口
１２  開閉蓋
２０  筒状投入口部
３０  凹溝部
【図１】
2008073454.tif 000003
【図２】
2008073454.tif 000004
【図３】
2008073454.tif 000005
【図４】
2008073454.tif 000006
【図５】
2008073454.tif 000007
【図６】
2008073454.tif 000008